(57)【要約】【課題】ひとりで、男性と女性の２人が同時に歌っているように、デュエット曲を歌うことができるようにする。【解決手段】音圧を電気信号に変換する入力部６に入力された音声を自声とこの自声を男声又は女声に加工した変換音声の２つの音声信号に分けてミキシングアンプ回路１２に入力する。ミキシングアンプ回路１２は自声と変換音声の２つの音声信号を混合して送信機１４に出力する。スピーカーは、１人の入力部６に入力された歌声があたかも２人が歌っているいるように自声と変換音声を出力する。【選択図】図１
2004246079.tif 000002
【特許請求の範囲】
【請求項１】
手で持つのに適した形状のケーシングと、該ケーシングに取り付けられた音圧を電気信号に変換する入力部と、前記入力部の出力信号を男声と女声の間で任意の音色に変換する前記ケーシングに内蔵された音色帯域変換回路と、前記入力部から出力される自声の音声信号と前記音色帯域変換回路から出力される変換音声信号とを混合する前記ケーシングに内蔵されたミキシングアンプ回路と、前記ミキシングアンプ回路の混合出力信号をスピーカー駆動アンプに送信する前記ケーシングに内蔵された送信機とを備え、前記入力部に入力された音声を自声とこの自声を男声又は女声に加工した変換音声の２つの音声信号に分けて前記ミキシングアンプ回路に入力し、自声と変換音声の２つの音声信号が混合されて一人の歌声があたかも２人が歌っているいるようにスピーカーから出力されるようにしたことを特徴とするひとり二役カラオケ用マイクロホン。
【請求項２】
前記自声の音声信号のみあるいは前記変換音声信号のみを前記ミキシングアンプ回路に入力するための切り替えスイッチを前記ケーシングに設けたことを特徴とする「請求項１」に記載のひとり二役カラオケ用マイクロホン。
【請求項３】
前記自声の音声信号と変換音声信号とのタイミングをずらすディレー回路を設けたことを特徴とする「請求項１」に記載のひとり二役カラオケ用マイクロホン。
【発明の詳細な説明】
【０００１】
【発明の属する技術分野】
本発明はひとりで男と女の二役を演じてデュエット曲を男声と女声で同時に歌うことができるようにしたカラオケ用マイクロホンに関する。
【０００２】
【従来の技術】
従来、マイクロホンに入力された音声の周波数を変更することで男性の声の音色を女性の音色にもしくは女性の声の音色を男性の音色に変換する音色帯域変換回路が知られている。この音色帯域変換回路を用いたカラオケ装置などに用いられる音声発生装置が特開平０８ー２４１０８９号公報に開示されている。
【０００３】
【発明が解決しようとする課題】
従来の、自分の声の音色を男性又は女性の声に変換できるマイクロホンでは、男性と女性が同時に歌うデュエット曲をひとりで歌うことができない。
本発明は、ひとりで二役を演じ、あたかも男女２人が同時に歌っているように、デュエット曲を歌うことができるようにし、カラオケをより楽しむことができる娯楽性に富んだマイクロホンを提供することを目的とするものである。
【０００４】
【課題を解決するための手段】
上記目的を達成するため、本発明は、手で持つのに適した形状のケーシングと、該ケーシングに取り付けられた音圧を電気信号に変換する入力部と、前記入力部の出力信号を男声と女声の間で任意の音色に変換する前記ケーシングに内蔵された音色帯域変換回路と、前記入力部から出力される自声の音声信号と前記音色帯域変換回路から出力される変換音声信号とを混合する前記ケーシングに内蔵されたミキシングアンプ回路と、前記ミキシングアンプ回路の混合出力信号をスピーカー駆動アンプに送信する前記ケーシングに内蔵された送信機とを備え、前記入力部に入力された音声を自声とこの自声を男声又は女声に加工した変換音声の２つの音声信号に分けて前記ミキシングアンプ回路に入力し、自声と変換音声の２つの音声信号が混合されて一人の歌声があたかも２人が歌っているいるようにスピーカーから出力されるようにしたものである。
また本発明は、前記自声の音声信号のみあるいは前記変換音声信号のみを前記ミキシングアンプ回路に入力するための切り替えスイッチを前記ケーシングに設けたものである。
また本発明は、前記自声の音声信号と変換音声信号とのタイミングをずらすディレー回路を設けたものである。
【０００５】
【発明の実施の形態】
以下に本発明の構成を添付した図面を参照して詳細に説明する。
２はカラオケ用のひとり二役を演ずるためのマイクロホンであり、該マイクロホン２とスピーカーアンプとの間はアンテナ２８を介してワイヤレスで接続されている。マイクロホン２は、筒状のハンディタイプのケーシング４の先端に、音響エネルギーである音圧を電気エネルギーに変換する入力部６が一体的に固設されている。
【０００６】
前記ケーシング２には、アンプ８、音色帯域変換回路１０、ミキシングアンプ回路１２、送信機１４及び電池１６を脱着自在に保持する電池ホルダー部（図示省略）が内蔵されている。ケーシング４の周面部には、外部操作ができるように、切り替えスイッチ１８，２０とボリュームから成る音色調整器２２及び電源スイッチ２４が取り付けられている。前記ケーシング４に内蔵あるいは周面部に取り付けられた上記各回路及び機器は、図示の如く結線されている。
【０００７】
前記音色帯域変換回路１０は、音色調整器２２のつまみ２６を操作し、入力音声の周波数を変えるることで、入力音声の音色を男声から女声、あるいは女声から男声その他任意の音色に変換できるように構成されている。ミキシングアンプ回路１２は、アンプ８から出力される自声の音声信号と、音色帯域変換回路１０から出力される変換音声信号とを混合し、送信機１４に出力するように構成されている。送信機１４は、アンテナ２８を通じて無線でスピーカーが接続するスピーカー駆動アンプ（図示省略）にミキシングアンプ回路１２の音声混合出力を送信するように構成されている。
【０００８】
次に本実施形態の動作について説明する。
男性または、女性がひとりで、男女ふたりが同時に歌うデュエット曲を歌う場合には、音色調整器２２を操作して、予め、音色モードを異性の音色に設定しておく。また、切り替えスイッチ１８，２０を両方ともオンにしておく。マイクロホン２を手に持ち、カラオケ曲に合わせて、デュエット曲をひとりで歌うと、入力部６に入力された自声は、アンプ８によって増幅される。アンプ８の一方の出力は、ミキシングアンプ回路１２に入力され、他方の出力は、音色帯域変換回路１０に入力され、ここで音色が変換されて、ミキシングアンプ回路１２に入力される。
【０００９】
このミキシングアンプ回路１２からは、音色を変換しない自声と、男性又は女性の異性の音色に変換された変換音声が送信機１４に出力され、該送信機１４から自声と変換音声の２つの混合された音声が発信され、スピーカーからあたかも２人の男女が歌っているように二人分の歌声が出力される。スイッチ２０をオフにすると、自声のみがスピーカーから出力され、スイッチ１８をオフ、スイッチ２０をオンとすると、変換音声のみがスピーカーから出力される。
上記実施形態では、ケーシング４に一個の入力部６を設けているが、図４及び図５に示すように、自声用と、変換音声用に２つの入力部３０，３２をケーシング４の先端に設けるようにしても良い。
【００１０】
図４の実施形態において、自声用の入力部３０は、シールド線を介してアンプ３４に接続している。アンプ３４の出力端は、スイッチ３６を経てミキシングアンプ回路１２の一方の入力端に接続している。変換音声用の入力部３２は、シールド線を介してアンプ３８に接続し、アンプ３８の出力端は、音色帯域変換回路１０、切り替えスイッチ４０を経てミキシングアンプ回路１２の他方の入力端に接続している。ミキシングアンプ回路１２には、トーン信号発生回路４２が接続している。本実施形態の他の構成は、図１に示す実施形態と同一であり、同一部分には同一の番号を付し、対応関係を明らかにしている。
【００１１】
上記した構成において、スイッチ３６，４０をいずれもオンにすれば、入力部３０，３２に入力された音声は、スイッチ３６を通じて、自声のまま、ミキシングアンプ回路１２に入力される。一方、入力部３２に入力された音声は、音色帯域変換回路１０で音色が男声又は女声に変換され、スイッチ４０を通じてミキシングアンプ回路１２に入力される。
【００１２】
これにより、ひとりの歌声は、あたかも男女２人がデュエットで歌っているようにスピーカーから出力される。尚、切り替えスイッチ３６，４０を操作することで、自声のみ、変換音声のみで歌うことが可能である。また、図１，図４において、アンプ８，３８と音色帯域変換回路１０との間にディレーアンプ（遅延回路）を入れると、スピーカーから出力される自声と変換音声のタイミングが若干遅れ、２人の人間がデュエットで歌っている感じが良く出るようになる。
【００１３】
【発明の効果】
本発明は上述の如く構成したので、ひとりで男女の二役を演じてデュエット曲を歌うことができ、カラオケの楽しさをより高めることができる。
【図面の簡単な説明】
【図１】本発明であるマイクロホンのブロック回路説明図である。
【図２】音色調整器の説明図である。
【図３】本発明に係るマイクロホンの側面図である。
【図４】本発明の他の実施形態を示すブロック回路説明図である。
【図５】本発明の他の実施形態のマイクロホンを示す側面図である。
【符号の説明】
２      マイクロホン
４      ケーシング
６      入力部
８      アンプ
１０    音色帯域変換回路
１２    ミキシングアンプ回路
１４    送信機
１６    電池
１８    切り替えスイッチ
２０    切り替えスイッチ
２２    音色調整器
２４    電源スイッチ
２６    つまみ
２８    アンテナ
３０    入力部
３２    入力部
３４    アンプ
３６    切り替えスイッチ
３８    アンプ
４０    切り替えスイッチ
４２    トーン信号発生回路
【図１】
2004246079.tif 000003
【図２】
2004246079.tif 000004
【図３】
2004246079.tif 000005
【図４】
2004246079.tif 000006
【図５】
2004246079.tif 000007